(57)【要約】【課題】  自分の打ちやすいスイングで振ったときに、ボールが真っ直ぐに飛びかつ最大限度の飛距離をかせぐことができるように、ヘッドの重心位置を調整可能とする。【解決手段】  ヘッドの重心位置を変化させる方式のゴルフクラブであって、ヘッド１２の打球面１３の裏側に少なくともボール相当の直径を有する凹部１４を設け、上記凹部内にて内外方向へ移動させることによってヘッド１２の位置を変化させる可動錘１７を設ける。凹部１４は円筒状として内周面に雌ねじ１５を形成し、可動錘１７の外周に、上記雌ねじ１５と噛み合う雄ねじ１６を形成し、可動錘１７をねじ込み或いはねじ戻すことによって位置を変化させる操作部１８を可動錘１７の外面側に設ける。【選択図】          図１
2006101918.tif 000002
【特許請求の範囲】
【請求項１】
ヘッドの重心位置を変化させる方式のゴルフクラブであって、ヘッドの打球面の裏側に少なくともボール相当の直径を有する凹部を設け、上記凹部内にて内外方向へ移動させることによってヘッドの重心位置を変化させる可動錘を設けたことを特徴とするヘッドの重心位置可変式ゴルフクラブ。
【請求項２】
凹部は円筒状であって、その内周面に雌ねじが形成されており、可動錘の外周に、上記雌ねじと噛み合う雄ねじが形成されており、可動錘をねじ込み或いはねじ戻すことによって位置を変化させる操作部を可動錘の外面側に設けた構成を有している請求項１記載のヘッドの重心位置可変式ゴルフクラブ。
【請求項３】
可動錘の位置を確定後、可動錘を固定するために、ビスにより可動錘をヘッドに止着するようにした請求項１又は２記載のヘッドの重心位置可変式ゴルフクラブ。
【発明の詳細な説明】
【技術分野】
【０００１】
本発明は、ヘッドの重心位置を変化させる方式のゴルフクラブに関するものである。
【背景技術】
【０００２】
ゴルフクラブの構造は、パターを除いて、クラブシャフトにヘッドをＬ字形に取り付けたものとなっており、Ｌ字形ヘッドによって、例えば投球時に手首のスナップを効かせるのと同様の効果を得るものと理解される。ボールを真っ直ぐに飛ばすだけであれば、クラブシャフトの先端にヘッドの打球面の中心をＴ字形に取り付けても同じであるが、過去の実験の結果、飛距離は全く出ないことを確認しており、このことからヘッドの打球面をシャフトにＬ字形に取り付けてスナップを効かせる必要のあることが分かっている。換言すれば、Ｌ字形ヘッドのヘッドエッジがボールに当たる瞬間の位置で目標に直角にさせることが、これまでの練習の全てであったといっても過言ではない。
【０００３】
このように考えると、飛距離は、ウッドやアイアンなどゴルフクラブなど形状の区別ではなく、シャフトの長さだけで夫々の使用者によって決まるのであり、単にヘッドの重心位置がヘッドエッジと平行にしたシャフト延長線に対して距離が近いか離れているかの差があるに過ぎない。アイアンの１番がウッドの４番よりシャフトが短いにもかかわらず、真っ直ぐ飛ばすことが困難なのは、ヘッドの重心位置がヘッドエッジと平行にしたシャフト延長線に近いため遠心力でヘッドを回転させるのが困難となってヘッドが開いて当た
り、ウッドはヘッドエッジに平行にしたシャフト延長線からヘッドの重心位置が離れているので、少ない遠心力でもヘッド面があらかじめ閉じているので目標に直角にボールに当たるためと考えられる。
【０００４】
従来のクラブでは特にアイアンの１番が素人に使い難いものとなっているが、それはヘッドの重心位置が使い難い位置に作られているからである。長いクラブはスイングウエイトの関係でヘッドが軽く出来ており、更に、シャフトが長く回転半径が大きく、この２点から遠心力が小さいため、ロングアイアンの構造のようにヘッドの重心がヘッドエッジに平行にしたシャフトの延長線に近いと、余程しっかり握っていなければボール位置ではヘッドは開いて当たる結果になる。
【０００５】
この原理をドライバー、５番アイアン、９番アイアンで説明する。図５に左からドライバー、５番アイアン、９番アイアンの動作原理をベクトル表示する。角速度はどれもほぼ同じであり、ドライバーはシャフトが長いためヘッドスピードは他より大きい、しかし、シャフトが長いためとヘッドの重量がスイングウエイトを合わせる関係で軽く出来てお
り、遠心力は質量に比例し半径に逆比例するため、他より小さい。従ってシャフト又はヘッドをボールベアリングで支えて振ったとすると、そのドライバーヘッドの重心位置が最適重心方向で示した線上にあればボールは真っ直ぐ飛ぶが、左側にあればスライスし右側にあればフックすることになる。全く同じように５番、９番アイアンについても同様に図示してある。個人差やクラブにもよるが、現用のものは一般的にドライバーは重心位置がヘッドエッジに平行したシャフトの延長線から離れているのでヘッドが軽くて遠心力が小さくとも最適位置に近いまずまずであるが、５番は重心位置がヘッドエッジに平行にしたシャフトの延長線に近い上、ヘッドが軽くスライスし易く、逆に９番はヘッドが重く、重心位置がヘッドエッジに平行にしたシャフトの延長線より離れているので遠心力が大き
く、フックし易いのが現状であると考えられる。従って、自分に合わない重心位置のクラブを振る場合は、クラブのグリップをきつく握り締めていないと、スライスやフックする可能性があったのである。
【０００６】
従来の技術を検討すると、実開昭４９−８６１５７号のものがある。しかし同号の発明はヘッドに穿孔してそこに内室を有する筒体を嵌装し、内室に重量性体及び充填材を併せて装入し、係合子で開孔部を閉塞するものであり、ヘッドの重量を変化させることは可能であるが、それ以上のものではない。また、実開昭４９−１０５２６７号のものはヘッドの後方からフェース面に指向する横孔を設け、該孔内に任意材の内蔵物を移動可能に収納するという構成を有している。しかしこの発明は打球瞬間の衝撃によりヘッドのスピードが変わったときに内蔵物が慣性によりフェース方向へ移動して衝撃力がプラスされ、打撃力を増大するものであり、重心位置とは関係がない。
【０００７】
【特許文献１】実開昭４９−８６１５７号
【特許文献２】実開昭４９−１０５２６７号
【発明の開示】
【発明が解決しようとする課題】
【０００８】
本発明は前記の点に着目してなされたもので、その課題は、自分の打ちやすいスイングで振ったときに、ボールが真っ直ぐに飛びかつ最大限度の飛距離をかせぐことができるように、ヘッドの重心位置を調整可能とすることである。
【課題を解決するための手段】
【０００９】
前記の課題を解決するため本発明は、ヘッドの重心位置を変化させる方式のゴルフクラブとして、ヘッドの打球面の裏側にほぼボール相当の直径を有する凹部を設け、上記凹部内にて内外方向へ移動させることによってヘッドの重心位置を変化させる可動錘を設けるという手段を講じたものである。
【００１０】
ゴルフクラブによるスイングに於て、クラブヘッドがボール位置に達したときに、ヘッドが開いていればスライスし、ヘッドが閉じていればフックにボールが飛ぶことになるのは既に説明したとおりである。ボールの飛行カーブを検討し、スライスしたならヘッド裏側の可動錘をヘッド面から遠ざける方向へ移動させ、反対にフックしたならヘッド面に近付けるように移動させる。そのようにしてヘッド面に対する可動錘の位置を調整することにより、各使用者に適合した重心のヘッドを持つゴルフクラブを提供することができるものである。スライスの修正に可動錘をヘッド面に遠ざけ、フックの修正に可動錘をヘッド面に近づけるという修整方法は、シャフトに対する打球面の位置や傾斜に拘ず有効である。その理由は重心位置の調節により、フェース即ちヘッドの打球面が、目標方向に対して直角になるように自然に修正されるからであると考えられる。
【００１１】
本発明において、可動錘は、ヘッドの打球面の裏側の凹部に、その内部にて内外方向へ移動可能に設けられる。内外方向とは凹部の内方或いは外方の両方向という意味であり、ヘッドの打球面との関係では、内方はヘッドに近付く方向、外方はヘッドから遠去かる方向と同義となる。可動錘のマスが打球面から遠去かり或いは打球面に近付くことにより、ヘッド全体に於ける重心の位置が変化する。
【００１２】
凹部は円筒状の空間を有していて、その内周面に雌ねじが形成されており、可動錘の外周には、上記雌ねじと噛み合う雄ねじが形成されていることが望ましい。この円筒の軸
は、ヘッドの打球面と交叉する関係にあり、可動錘をねじ込み或いはねじ戻すことによってヘッドの打球面からの位置を変化させることができる。また、凹部の大きさはほぼボール相当の直径とする。大きい方がいわゆるスイートスポットが広いからである。凹部は、ウッドの場合ヘッドの膨らみに裏側（後側）から穴を開ける要領で形成することもできるが、アイアンの場合にはヘッドに膨らみがないので、円筒状の部分をクラブ裏面に新たに設けるような形態を取ることになる（図４参照）。必要に応じ円筒状の部分をウッドに設けても良い。
【００１３】
本発明に於ける可動錘は、長いクラブでは薄く軽く、短いクラブでは厚く重く形成することが望ましい。軽いヘッドを持つクラブについては可動錘も軽く、重いヘッドを持つクラブについては可動錘も重く形成する。また、可動錘は重量だけではなくその形態を円筒形にしてしかも長くすることにより質量を分散させ、望ましい打球点を多少外れてもボールの飛距離が変わらない初心者、素人向けにすることができる。また短いクラブについては可動錘を重く、円筒を短く厚くしても問題は少ない。
【００１４】
可動錘は、その位置を各人が確定する。即ち使用者が最も自然な方法で可動錘を取り付けたクラブを振り回し、ボールを打って見てスライスすればヘッド打球面から遠去け、フックすれば近付けるという方法でスライスもフックもしない位置を見出し、その位置を確定する。その間、ヘッドの打球面でボールを捉える必要はあるが、ボールの飛行カーブの形状に関しては全く考慮する必要がない。さらに可動錘には、そのねじ込みねじ戻しの操作のための操作部を外面に設けることができる。操作部は、例えば各図に例示してある、コイン等の契合によって回転させるための凹部が適する。しかし、その逆に凸状の摘み型の操作部も容易に実施することができるし、さらにはカニ目ドライバーの係合穴のようなものでも良い。位置を確定した可動錘はこれをビス止めなどの方法によってヘッドに止着し、位置を固定しておくことが望ましい。このためには、可動錘の移動範囲にねじ穴を必要数開けることになるが、円筒状凹部の場合その直径方向の２箇所の内のいずれか１箇所にてビス止めすることが効果的である。
【発明の効果】
【００１５】
本発明は以上の如く構成され、かつ作用するものであるから、これまで既存のクラブに自分のスイングを合わせてクローズドスタンスやオープンスタンスにし、さらに最後の打球方向を決める力加減を個々のクラブ毎に行わなければならなかったのに対して、一端調整後は自分の打ちやすいスイングで打ったときに、ボールが真っ直ぐ飛ぶようになり、従って可動錘の長さと重さをクラブ長さに応じて変えることで、最適打球点を広い範囲に設定しその中から自分に適した位置を使用することができるので、初心者にも使い易いものとなる。
【発明を実施するための最良の形態】
【００１６】
以下図示の実施形態を参照して本発明をより詳細に説明する。図１及び図２はウッド型ゴルフクラブに適したクラブに本発明を適用した例を示しており、１１はシャフト、１２はその先端に設けられている膨らみを有するヘッド、１３はその打球面、を夫々示している。１９はシャフト１１と平行な面を示す。
【００１７】
ヘッド１２の打球面１３の裏側には、ヘッド１２の膨らみに穴を開けるようにして円筒状の凹部１４が形成されており、その円筒軸はシャフト１１と平行な面に鉛直である。円筒状の凹部１４の内周面には雌ねじ１５が形成されており、この雌ねじ１５と噛み合う雄ねじ１６を外周に形成した可動錘１７が、凹部１４内にて内外方向へ移動可能に設けられている。図２には可動錘は、長くて円筒型の質量分散型（図２の上）のものと、短くて重い質量集中型のもの（図２の下）とが示されており、どちらも同じ凹部１４にねじ込みによって取り付けることができる。これらの２種の可動錘１７、１７は質量は同じであっても違っていても良い。１８は可動錘外面に設けた凹状の操作部を示しており、１０円玉などを差し込んで契合可能な凹溝状に形成されている。
【００１８】
図３Ａ及びＢはアイアンの５番のクラブに本発明を適用した例２を示しており、図４Ａ及びＢアイアンの９番のクラブに本発明を適用して例３を示しており、シャフト２１の先端に設けられているヘッド２２は膨らみを有していない。２３はその打球面、２９はシャフト２１と平行な面を夫々示す。ヘッド２２の打球面２３の傾斜はアイアンの９番の方が５番よりも上向きである。
【００１９】
図３及び図４の例の場合、ヘッド２２の打球面２３の裏側には、円筒状の部分２８を新たに設けてその内部を凹部２４とし、内周面に雌ねじ２５を設けて可動錘２７を雄ねじ２６部にてねじ合わせられるように構成されている。アイアン型ゴルフクラブの場合には、他のものには存在しない円筒状の部分２８を設けたものとなるが、これを含む全重量が、これを有していない通常のアイアン型ゴルフクラブのヘッド重量と同等となるように設定する。即ち、可動錘２７とそれを設けるための円筒状の部分２８を含むヘッド総重量が、これらを有していないヘッド総重量と同等となるように設定する。なお、ヘッド重量についての考え方は実施例１〜３の全てについて同じであり、総重量が本発明を適用しないものと同等であるようにする。
【００２０】
可動錘２７として、実施例１におけるのと同様に中空なもの或いは中実なものを使い分け得るのは既に説明したとおりであるが、図４では中実のもののみを示している。なお、操作部１８については実施例１と全く同じで良いので符号を援用し、詳細な説明は省略する。さらに、可動錘１７、２７をヘッド１２、２２にビス３１によって止着するのは実施例１及び２に共通のことである。ビス止めのためのねじ穴３２は可動錘側の雌ねじの谷にビス先端が係合するように複数箇所設けられる。
【００２１】
このように構成されている本発明のゴルフクラブは、既に説明した方法で使用し、所期の目的を果たす。図面を参照して同じ説明を繰り返すと、本発明のゴルフクラブを使用する際、スイングウェイトだけは最初に自分に合うように可動錘を選ぶ。つまり、使用者が自分で最も簡単に力一杯に振り回せる方法でスイングし、実際にボールを飛ばしてみる。その際、ヘッド１２、２２の打球面１３、２３でボールを捉える必要はあるが、ボールのスピンによって飛ぶカーブの形状については全く考慮する必要がない。ヘッド１２、２２がボールに到達したときにヘッド１２、２２が開いていればスライスし、閉じていればフックしてボールが飛ぶことになる。
【００２２】
このボールの飛行カーブを見てスライスなら可動錘１７、２７をヘッド１２、２２の打球面１３、２３より遠去け、反対にフックならヘッド１２、２２の打球面１３、２３に近付けるように調整する。この調整を１０円玉などを用いて可動錘１７、２７を回すことにより行えるのであり、調整を繰り返して、自分の打ちやすいスイングで振ったときにボールが真っ直ぐ飛ぶように可動錘１７、２７の位置を決定するのであり、位置が決定したらビス３１により可動錘１７、２７をヘッド１２、２２に固定することができる。かくして自分のスイングに適合した重心位置を持つゴルフクラブによるスイングを行うことができるものである。
【産業上の利用可能性】
【００２３】
本発明に係るヘッド重心位置の可変式ゴルフクラブは、可動錘を有することを特徴とする。しかし、可動錘構造が正式なプレー用のゴルフクラブとして不適当と判断されるケースもあると考えられるが、その場合、練習用のゴルフクラブとして使用可能であり、また本発明のゴルフクラブで調整したのと同等の重心位置を持つクラブを選ぶために使用することができる。
【図面の簡単な説明】
【００２４】
【図１】本発明に係るヘッドの重心位置可変式ゴルフクラブの実施例１を示す要部裏面図。
【図２】同じく縦断面説明図。
【図３】Ａは本発明の実施例２を示す要部裏面図、Ｂは同じく縦断面図。
【図４】Ａは本発明の実施例３を示す要部裏面図、Ｂは同じく縦断面図。
【図５】ドライバー、５番アイアン、９番アイアンにおける動作原理を説明するためのベクトルを示す図。
【符号の説明】
【００２５】
１０、２０  本発明に係るゴルフクラブ
１１、１２  シャフト
１２、２２  ヘッド
１３、２３  打球面
１４、２４  凹部
１５、２５  雌ねじ
１６、２６  雄ねじ
１７、２７  可動錘
１８  操作部
１９、２９  シャフトと平行な面
２８  円筒状の部分
【図１】
2006101918.tif 000003
【図２】
2006101918.tif 000004
【図３】
2006101918.tif 000005
【図４】
2006101918.tif 000006
【図５】
2006101918.tif 000007